(57)【要約】【課題】異なる材質の２個の端子部を締結させた端子において電気抵抗を低減可能な技術を提供する。【解決手段】端子は、第一端子部と、第二端子部を備える。第一端子部は、電気伝導性を有する第一材質の第一部材によって形成される。第二端子部は、電気伝導性を有し且つ第一材質より硬度が高い第一材質とは異なる第二材質の第二部材によって形成される。第一端子部は、第一端子部の第一接触面に凸部を備える。第二端子部は、第二端子部の第二接触面に凹部を備える。第一端子部と第二端子部は、第一接触面と第二接触面が接した状態で締結されている。凸部は、第一端子部と第二端子部が締結された締結状態で、凹部に充填されている。【選択図】図１
2017103127.tif 000002
【特許請求の範囲】
【請求項１】
電気伝導性を有する第一材質の第一部材によって形成される第一端子部と、
電気伝導性を有し且つ前記第一材質より硬度が高い前記第一材質とは異なる第二材質の第二部材によって形成される第二端子部と、を備え、
前記第一端子部は、前記第一端子部の第一接触面に凸部を備え、
前記第二端子部は、前記第二端子部の第二接触面に凹部を備え、
前記第一端子部と前記第二端子部とは、前記第一接触面と前記第二接触面とが接した状態で締結され、
前記凸部は、前記第一端子部と前記第二端子部とが締結された締結状態で、前記凹部に充填されている、端子。
【請求項２】
前記第一端子部は、前記第一接触面に、２個以上の所定数の前記凸部を備え、
前記第二端子部は、前記第二接触面に、前記締結状態で前記所定数の前記凸部がそれぞれ充填される前記所定数の前記凹部を備える、請求項１に記載の端子。
【請求項３】
前記所定数の前記凸部のうちの第一凸部は、前記第一接触面の特定位置に設けられ、
前記第一凸部とは異なる前記所定数の前記凸部のうちの第二凸部は、前記第一凸部と第一量だけ離間した前記第一凸部の外周に設けられ、
前記所定数の前記凹部のうちの第一凹部は、前記締結状態で前記第一凸部に対向する前記第二接触面の位置に設けられ、
前記第一凹部とは異なる前記所定数の前記凹部のうちの第二凹部は、前記締結状態で前記第二凸部に対向する前記第二接触面の位置に設けられ、
前記第一凸部は、前記締結状態で、前記第一凹部に充填され、
前記第二凸部は、前記締結状態で、前記第二凹部に充填されている、請求項２に記載の端子。
【請求項４】
前記第一凸部は、環状の凸部であり、
前記第二凸部は、環状の前記第一凸部と前記第一量だけ離間した前記第一凸部の外周に設けられた環状の凸部であり、
前記第一凹部は、環状の前記第一凸部に対向する前記第二接触面の位置に設けられた環状の凹部であり、
前記第二凹部は、環状の前記第二凸部に対向する前記第二接触面の位置に設けられた環状の凹部である、請求項３に記載の端子。
【請求項５】
前記第一凸部と前記第二凸部とは異なる前記所定数の前記凸部のうちの第三凸部は、柱状の凸部であり、
前記第一凹部と前記第二凹部とは異なる前記所定数の前記凹部のうちの第三凹部は、前記締結状態で前記第三凸部に対向する前記第二接触面の位置に設けられた筒状の凹部であり、
前記第一凸部は、前記第三凸部と第二量だけ離間した前記第三凸部の外周に設けられ、
前記第三凸部は、前記締結状態で、前記第三凹部に充填されている、請求項４に記載の端子。
【請求項６】
前記第一端子部は、前記第一接触面を含む被拘束部を備え、
前記第二端子部は、前記被拘束部を収容する、前記第二接触面を底面とする有底筒状の拘束部を備え、
前記拘束部の側壁部は、前記拘束部に収容された前記被拘束部の外周を拘束するかしめ部となる、請求項１から請求項５の何れか１項に記載の端子。
【請求項７】
請求項１から請求項６の何れか１項に記載の端子を備える蓄電池。
【請求項８】
電気伝導性を有する第一材質の第一部材によって形成される第一端子部と、電気伝導性を有し且つ前記第一材質より硬度が高い前記第一材質とは異なる第二材質の第二部材によって形成される第二端子部と、が前記第一端子部の第一接触面と前記第二端子部の第二接触面とが接した状態で締結された端子の製造方法であって、
前記第一接触面となる前記第一部材の第一面と、前記第二接触面となる、凹部が形成された前記第二部材の第二面と、を接させた状態で、前記第一部材を塑性変形させ、塑性変形する前記第一部材の部分を前記凹部に充填させつつ、前記凹部に充填される前記第一部材の部分によって前記第一面に凸部を形成する、充填工程を含む、製造方法。
【請求項９】
前記製造方法は、更に、
前記第一面を含む前記第一部材の端部を、前記第二部材に形成された、前記第二面を底面とする有底筒状の筒部に収容し、前記第一面と前記第二面とを接させる収容工程と、
前記筒部の側壁部を、前記収容工程で前記筒部に収容された前記第一部材の端部の側に塑性変形させ、塑性変形する前記側壁部によって前記第一部材の端部を拘束するかしめ工程と、を含む、請求項８に記載の製造方法。
【請求項１０】
前記充填工程は、前記第一面と前記第二面とが接した状態で、前記第一面と前記第二面とに垂直で、且つ前記凸部の突出方向と前記凹部の深さ方向とに沿った軸方向に、前記第一部材と前記第二部材とを押圧して行われる、請求項８又は請求項９に記載の製造方法。
【請求項１１】
前記充填工程は、前記軸方向において前記第一面とは反対側となる前記第一部材の第三面を含む前記第一部材の端部に形成された穴部の底面に対して、前記軸方向に沿った前記第一面の側に向かう力を付与させて前記穴部の底面を含む前記第一部材の部分を前記凹部に充填させつつ、前記凹部に充填される前記第一部材の部分によって前記第一面に前記凸部を形成する、請求項１０に記載の製造方法。
【発明の詳細な説明】
【技術分野】
【０００１】
本発明は、端子と蓄電池と端子の製造方法に関する。
【背景技術】
【０００２】
端子に関する技術が提案されている。例えば、特許文献１には、リチウムイオン二次電池の正極端子が開示されている。正極端子は、下部端子体と上部端子体で構成される。下部端子体は、アルミニウム又はアルミニウム合金で構成される。下部端子体は、接合台とかしめ部と圧入ピンによって形成される。上部端子体は、銅又は銅合金で構成される。上部端子体は、端子基体部とボルト式端子本体と圧入穴によって形成される。圧入穴は、圧入ピンよりもわずかに径が小さくされる。下部端子体と上部端子体は、圧入穴に圧入ピンを圧入することにより、端子基体部の下面を接合台の上面に重ね合わせて接合される。
【０００３】
特許文献２には、複合接点の製造方法が開示されている。製造方法は、一次成形工程と、二次成形工程を含む。一次成形工程では、銀合金素線が鍛造され、銅合金素線と接合される。二次成形工程では、銅合金素線による銅合金部と銀合金素線による銀合金部を含む一次成形体が、軸方向に鍛造される。二次成形工程では、一次成形体を鍛造することで、一次成形体の銅合金部と銀合金部の接合界面が、新生面を形成しながら拡径される。
【０００４】
特許文献３には、コネクタ端子が開示されている。コネクタ端子は、第一端子部材と、第二端子部材を備える。例えば、コネクタ端子が各種のバッテリー装置に搭載される電極端子である場合、第一端子部材と第二端子部材は、一方が銅で他方がアルミニウムとされる。第二端子部材のオス型フランジは、第一端子部材のメス型フランジの凹部に嵌め込まれる。メス型フランジの凹部の底面とオス型フランジの下面は、互いに凹凸のない平滑面とされる。コネクタ端子では、第一端子部材と第二端子部材は、メス型フランジの外周壁を変形させてかしめられる。これに伴い、コネクタ端子では、第一端子部材と第二端子部材が連結される。特許文献３では、メス型フランジの底面にオス型フランジの下面が密接することで、電気抵抗を小さくすることができるとされている。
【０００５】
特許文献４には、非水電解質二次電池が開示されている。非水電解質二次電池では、正極又は負極の集電端子が、２個の部分から構成される。２個の部分のうちの１つは、電池ケース外に突出した外部端子をなす部分である。２個の部分のうちの他の１つは、電池ケース内の極板群から導出されたリード板が接続される部分である。２つの部分は、異種金属からなる。２つの部分は、異種金属間の境界面で固相接合又は真空ろう付され、一体化される。
【先行技術文献】
【特許文献】
【０００６】
【特許文献１】特開２００１−３５７８３４号公報
【特許文献２】特開２０１３−３０４７５号公報
【特許文献３】特開２０１５−６０７３０号公報
【特許文献４】特許第４２７３５４３号公報
【発明の概要】
【発明が解決しようとする課題】
【０００７】
端子を、異なる材質の２個の端子部を締結させた構造とすることがある。例えば、各種の製品に搭載される蓄電池において、このような構造の端子が採用される場合がある。このような構造の端子とする場合、異種材質である２個の端子部の接触面において電気抵抗が増加し易い。その結果、２個の端子部をそれぞれ、電気抵抗の低い材質の部材によって形成したとしても、全体として電気抵抗の高い端子となってしまうことがある。
【０００８】
本発明は、異なる材質の２個の端子部を締結させた端子において電気抵抗を低減可能な技術を提供することを目的とする。
【課題を解決するための手段】
【０００９】
本発明の一側面は、電気伝導性を有する第一材質の第一部材によって形成される第一端子部と、電気伝導性を有し且つ前記第一材質より硬度が高い前記第一材質とは異なる第二材質の第二部材によって形成される第二端子部と、を備え、前記第一端子部は、前記第一端子部の第一接触面に凸部を備え、前記第二端子部は、前記第二端子部の第二接触面に凹部を備え、前記第一端子部と前記第二端子部とは、前記第一接触面と前記第二接触面とが接した状態で締結され、前記凸部は、前記第一端子部と前記第二端子部とが締結された締結状態で、前記凹部に充填されている、端子である。
【００１０】
この端子によれば、第一端子部と第二端子部の接触面積を、２個の端子部の各接触面が平面である場合と比較し、増加させることができる。凸部の凹部への充填に際し、第一部材は、第一接触面の側で塑性変形する。その結果、凹部の壁面及び底面と接触する凸部の表面を、塑性変形に伴う第一部材の新生面とすることが可能になると考えられる。新生面は、塑性変形前の状態では、第一部材の内部にあった部分が、前述の塑性変形に伴い、この部材の表面に露出することによって形成される第一材質の新たな面である。
【００１１】
前記第一端子部は、前記第一接触面に、２個以上の所定数の前記凸部を備え、前記第二端子部は、前記第二接触面に、前記締結状態で前記所定数の前記凸部がそれぞれ充填される前記所定数の前記凹部を備える、ようにしてもよい。この場合、前記所定数の前記凸部のうちの第一凸部は、前記第一接触面の特定位置に設けられ、前記第一凸部とは異なる前記所定数の前記凸部のうちの第二凸部は、前記第一凸部と第一量だけ離間した前記第一凸部の外周に設けられ、前記所定数の前記凹部のうちの第一凹部は、前記締結状態で前記第一凸部に対向する前記第二接触面の位置に設けられ、前記第一凹部とは異なる前記所定数の前記凹部のうちの第二凹部は、前記締結状態で前記第二凸部に対向する前記第二接触面の位置に設けられ、前記第一凸部は、前記締結状態で、前記第一凹部に充填され、前記第二凸部は、前記締結状態で、前記第二凹部に充填されている、ようにしてもよい。更に、前記第一凸部は、環状の凸部であり、前記第二凸部は、環状の前記第一凸部と前記第一量だけ離間した前記第一凸部の外周に設けられた環状の凸部であり、前記第一凹部は、環状の前記第一凸部に対向する前記第二接触面の位置に設けられた環状の凹部であり、前記第二凹部は、環状の前記第二凸部に対向する前記第二接触面の位置に設けられた環状の凹部である、ようにしてもよい。更にまた、前記第一凸部と前記第二凸部とは異なる前記所定数の前記凸部のうちの第三凸部は、柱状の凸部であり、前記第一凹部と前記第二凹部とは異なる前記所定数の前記凹部のうちの第三凹部は、前記締結状態で前記第三凸部に対向する前記第二接触面の位置に設けられた筒状の凹部であり、前記第一凸部は、前記第三凸部と第二量だけ離間した前記第三凸部の外周に設けられ、前記第三凸部は、前記締結状態で、前記第三凹部に充填されている、ようにしてもよい。
【００１２】
この構成によれば、第一端子部と第二端子部の接触面積を増加させることができる。第一端子部において、より多くの新生面を形成することができる。柱状の凸部及び凹部と複数の環状の凸部及び凹部を備える構成は、端子がヒートサイクル環境下で使用される場合において、加熱前後の電気抵抗の変化を抑制することができる。
【００１３】
前記第一端子部は、前記第一接触面を含む被拘束部を備え、前記第二端子部は、前記被拘束部を収容する、前記第二接触面を底面とする有底筒状の拘束部を備え、前記拘束部の側壁部は、前記拘束部に収容された前記被拘束部の外周を拘束するかしめ部となる、ようにしてもよい。この構成によれば、第一端子部と第二端子部の締結強度を向上させることができる。これに伴い、端子の強度を向上させることが可能となる。
【００１４】
本発明の他の側面は、上述した何れかの端子を備える蓄電池である。この蓄電池では、上述した何れかの端子が奏する上述した機能が実現される。蓄電池の性能を向上させることが可能となる。
【００１５】
本発明の更に他の側面は、電気伝導性を有する第一材質の第一部材によって形成される第一端子部と、電気伝導性を有し且つ前記第一材質より硬度が高い前記第一材質とは異なる第二材質の第二部材によって形成される第二端子部と、が前記第一端子部の第一接触面と前記第二端子部の第二接触面とが接した状態で締結された端子の製造方法であって、前記第一接触面となる前記第一部材の第一面と、前記第二接触面となる、凹部が形成された前記第二部材の第二面と、を接させた状態で、前記第一部材を塑性変形させ、塑性変形する前記第一部材の部分を前記凹部に充填させつつ、前記凹部に充填される前記第一部材の部分によって前記第一面に凸部を形成する、充填工程を含む、製造方法である。この製造方法によれば、凸部の表面を第一部材の新生面とすることが可能となる。第二部材を第一部材より高硬度の材質とすることで、第二部材に凸部を形成する際の金型としての機能を付与し、第一部材をスムーズに塑性変形させることが可能となる。凸部が凹部に充填された状態とすることができる。
【００１６】
例えば、第一部材に凸部を予め設け、第二部材に凹部を予め設けた上で、端子の製造方法に、凸部を凹部に嵌め込む工程を含めることもできる（充填工程は省略）。この場合、第一端子部と第二端子部が高精度に締結された端子とするためには、第一部材における凸部と第二部材における凹部の寸法精度及び位置精度を、適切に管理しなければならない。本発明の上述した製造方法によれば、塑性変形し、凹部に充填される第一部材の部分によって第一面に凸部を形成することができる。そのため、予め第一部材に設けた凸部を第二部材の凹部に嵌め込む場合と比較し、前述した管理が容易となる。その結果、第一端子部と第二端子部が高精度に締結された端子とすることができる。
【００１７】
前記製造方法は、更に、前記第一面を含む前記第一部材の端部を、前記第二部材に形成された、前記第二面を底面とする有底筒状の筒部に収容し、前記第一面と前記第二面とを接させる収容工程と、前記筒部の側壁部を、前記収容工程で前記筒部に収容された前記第一部材の端部の側に塑性変形させ、塑性変形する前記側壁部によって前記第一部材の端部を拘束するかしめ工程と、を含む、ようにしてもよい。この構成によれば、第一端子部と第二端子部の締結強度を向上させることができる。これに伴い、端子の強度を向上させることが可能となる。
【００１８】
前記充填工程は、前記第一面と前記第二面とが接した状態で、前記第一面と前記第二面とに垂直で、且つ前記凸部の突出方向と前記凹部の深さ方向とに沿った軸方向に、前記第一部材と前記第二部材とを押圧して行われる、ようにしてもよい。この場合、前記充填工程は、前記軸方向において前記第一面とは反対側となる前記第一部材の第三面を含む前記第一部材の端部に形成された穴部の底面に対して、前記軸方向に沿った前記第一面の側に向かう力を付与させて前記穴部の底面を含む前記第一部材の部分を前記凹部に充填させつつ、前記凹部に充填される前記第一部材の部分によって前記第一面に前記凸部を形成する、ようにしてもよい。この構成によれば、第一部材の部分の凹部への充填と凸部の形成をスムーズに行うことができる。
【発明の効果】
【００１９】
本発明によれば、異なる材質の２個の端子部を締結させた電気抵抗を低減可能な構造の端子を得ることができる。また、本発明によれば、電気抵抗を低減可能な構造の端子を備える蓄電池を得ることができる。更に、本発明によれば、電気抵抗を低減可能な構造の端子の製造方法を得ることができる。
【図面の簡単な説明】
【００２０】
【図１】端子の概略構成の一例を示す断面斜視図である。
【図２】第一端子部の一例を示す斜視図である。第一接触面の側から視た状態を示す。
【図３】第二端子部の一例を示す斜視図である。第二接触面の側から視た状態を示す。
【図４】第一部材及び第二部材と端子の製造方法に用いられる金型の概略構成の一例を示す断面図である。
【図５】端子の製造方法の一例を示す断面図である。上段は、第二部材が下金型にセットされ、第一部材の張出部が第二部材の筒部に収容された状態を示す。下段は、上金型の第一成形部が第一部材の穴部の底面に接した状態を示す。
【図６】端子の製造方法の一例を示す断面図である。上段は、上金型を図５下段に示す状態から軸方向の第二側に移動させ、上金型の第二成形部が第一部材の張出部に接した状態を示す。下段は、上金型を軸方向の第二側の移動端まで移動させた状態を示す。
【図７】端子の製造方法の一例を示す断面図である。上金型を図６下段に示す状態から軸方向の第一側に移動させ、端子を下金型から取り出す状態を示す。
【図８】第一部材の概略構成の他の例を示す断面図である。
【発明を実施するための形態】
【００２１】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００２２】
＜端子＞
端子１について、図１〜図３を参照して説明する。端子１は、例えば、蓄電池用の端子として、蓄電池に設けられる。端子１は、第一端子部２と第二端子部３を締結して形成される。実施形態では、第一端子部２と第二端子部３が締結された状態を「締結状態」という（図１参照）。締結状態は、第一端子部２と第二端子部３によって端子１が形成された状態ということもできる。締結状態において、第一端子部２と第二端子部３が重なり合う方向を「軸方向」という。締結状態において、第一端子部２が配置される軸方向の側を「第一側」といい、第二端子部３が配置される軸方向の側を「第二側」という。図１に示す１点鎖線は、軸方向に重なり合った状態で第一端子部２と第二端子部３が締結された端子１の軸心Ｌを示す。軸方向に直交する方向を「径方向」という。径方向は、軸心Ｌを中心とした放射方向に一致する。
【００２３】
第一端子部２は、軸方向の第二側の端部が径方向に張り出した形状を有する（図１参照）。実施形態では、径方向に張り出した部分を含む第一端子部２の軸方向の第二側の端部を、被拘束部２２という。被拘束部２２は、軸方向の第一側から第二側に広がった円錐台状とされる。被拘束部２２は、締結状態において、第二端子部３によって拘束される。この点については、後述する。被拘束部２２は、第一接触面２０を含む（図２参照）。第一接触面２０は、軸方向の第二側となる第一端子部２の面である。第一接触面２０は、締結状態において、後述する第二端子部３の第二接触面３０と接する（図１参照）。第一端子部２では、第一接触面２０に複数の凸部２１が形成される（図１及び図２参照）。複数の凸部２１は、軸方向の第二側に突出する。複数の凸部２１は、凸部２１Ａ，２１Ｂ，２１Ｃ，２１Ｄを含む。実施形態では、凸部２１Ａ，２１Ｂ，２１Ｃ，２１Ｄを区別しない場合、又は凸部２１Ａ，２１Ｂ，２１Ｃ，２１Ｄを総称する場合、凸部２１という。
【００２４】
凸部２１Ａは、第一接触面２０の中心位置（軸心Ｌ参照）に形成された凸部である。凸部２１Ａは、円柱状とされる（図２参照）。凸部２１Ｂ，２１Ｃ，２１Ｄは、凸部２１Ａの外周に形成された凸部である。凸部２１Ｂ，２１Ｃ，２１Ｄは、円環状とされる（図２参照）。実施形態では、凸部２１Ｂ，２１Ｃ，２１Ｄは、第一接触面２０のうち、領域Ｒに対応する所定の位置にそれぞれ形成されている。領域Ｒは、被拘束部２２のうち、径方向に張り出した被拘束部２２の部分である（図１参照）。凸部２１Ｂは、径方向において、凸部２１Ａと所定量だけ離間した凸部２１Ａの外周に形成された凸部である。凸部２１Ｃは、径方向において、凸部２１Ｂと所定量だけ離間した凸部２１Ｂの外周に形成された凸部である。凸部２１Ｄは、径方向において、凸部２１Ｃと所定量だけ離間した凸部２１Ｃの外周に形成された凸部である。実施形態では、凸部２１Ｂ，２１Ｃが離間する量と凸部２１Ｃ，２１Ｄが離間する量は、同一とされている。凸部２１Ａ，２１Ｂが離間する量は、凸部２１Ｂ，２１Ｃ，２１Ｄがそれぞれ離間する量より広くされている。凸部２１Ａ，２１Ｂ，２１Ｃ，２１Ｄがそれぞれ離間する量は、諸条件を考慮して適宜決定される。例えば、端子１の電気抵抗が考慮される。
【００２５】
第一端子部２には、第一端子部２の軸方向の第一側の端部に、有底筒状の穴部２３が形成される（図１参照）。第一端子部２の軸方向の第一側の端部は、軸方向において第一接触面２０とは反対側となる面を含む第一端子部２の部分である。穴部２３は、軸方向の第一側の部分の径方向の寸法Ｗ１より軸方向の第二側の部分の径方向の寸法Ｗ２が狭い、段付きの穴部である。
【００２６】
第二端子部３は、軸方向の第一側の端部が径方向に張り出した形状を有する（図１参照）。第二端子部３の軸方向の第一側の端部には、拘束部３２が形成される。拘束部３２は、有底筒状をした第二端子部３の部分である（図３参照）。拘束部３２の底面は、第一接触面２０と接する第二端子部３の第二接触面３０を形成する。拘束部３２には、被拘束部２２が収容される。拘束部３２の側壁部３３の内周面は、被拘束部２２の外周面に沿った形状とされる。側壁部３３は、被拘束部２２の外周を拘束する。即ち、側壁部３３は、被拘束部２２の外周を拘束するかしめ部を形成する。かしめ部としての側壁部３３によって被拘束部２２を拘束することで、第一端子部２と第二端子部３は、締結される。
【００２７】
第二端子部３では、第二接触面３０に複数の凹部３１が形成される（図１及び図３参照）。複数の凹部３１は、複数の凸部２１に対応して設けられる（図１参照）。凸部２１Ａ，２１Ｂ，２１Ｃ，２１Ｄを例とする実施形態の端子１では、凹部３１は、第二接触面３０に４個形成される。実施形態では、４個の凹部３１を区別する場合、各凹部を、凹部３１Ａ，３１Ｂ，３１Ｃ，３１Ｄという。凹部３１Ａ，３１Ｂ，３１Ｃ，３１Ｄを区別しない場合、又は凹部３１Ａ，３１Ｂ，３１Ｃ，３１Ｄを総称する場合、凹部３１という。
【００２８】
凹部３１Ａは、締結状態で凸部２１Ａに対向する第二接触面３０の位置に形成された凹部である。凹部３１Ａは、円筒状とされる（図３参照）。凹部３１Ａには、締結状態において、凸部２１Ａが充填される（図１参照）。凹部３１Ａに充填された凸部２１Ａは、上述した通り、円筒状の凹部３１Ａに対応した円柱状とされる。凹部３１Ｂは、締結状態で凸部２１Ｂに対向する第二接触面３０の位置に形成された凹部である。凹部３１Ｂは、円環状とされる（図３参照）。凹部３１Ｂには、締結状態において、凸部２１Ｂが充填される（図１参照）。凹部３１Ｂに充填された凸部２１Ｂは、上述した通り、円環状の凹部３１Ｂに対応した円環状とされる。凹部３１Ｃは、締結状態で凸部２１Ｃに対向する第二接触面３０の位置に形成された凹部である。凹部３１Ｃは、円環状とされる（図３参照）。凹部３１Ｃには、締結状態において、凸部２１Ｃが充填される（図１参照）。凹部３１Ｃに充填された凸部２１Ｃは、上述した通り、円環状の凹部３１Ｃに対応した円環状とされる。凹部３１Ｄは、締結状態で凸部２１Ｄに対向する第二接触面３０の位置に形成された凹部である。凹部３１Ｄは、円環状とされる（図３参照）。凹部３１Ｄには、締結状態において、凸部２１Ｄが充填される（図１参照）。凹部３１Ｄに充填された凸部２１Ｄは、上述した通り、円環状の凹部３１Ｄに対応した円環状とされる。
【００２９】
＜端子の製造方法＞
端子１の製造方法について、図４〜図６を参照して説明する。図４〜図６に示す１点鎖線は、端子１の軸心Ｌに一致する。実施形態では、説明の便宜上、図４〜図６に示す１点鎖線についても、軸心Ｌという。また、実施形態では、端子１の製造方法を、単に「製造方法」という。第一端子部２を形成する素材を、第一部材５０という。第二端子部３を形成する素材を、第二部材６０という。
【００３０】
第一部材５０は、第一材質の部材である。第二部材６０は、第二材質の部材である。即ち、第一部材５０と第二部材６０は、異種材料とされる。第二材質は、第一材質より硬度が高い材質とされる。第一材質としては、アルミニウム又はアルミニウム合金が例示される。第二材質としては、銅又は銅合金が例示される。第一材質がアルミニウム又はアルミニウム合金で、第二材質が銅又は銅合金である場合、第一部材５０のビッカース硬度は、２０ＨＶ〜１００ＨＶの範囲の所定値とされ、第二部材６０のビッカース硬度は、５０ＨＶ〜２００ＨＶの範囲の所定値（但し、第一部材５０より高硬度）とされる。
【００３１】
第一部材５０は、軸方向の第二側の端部が径方向に張り出した形状を有する（図４参照）。この径方向に張り出した部分を含む第一部材５０の軸方向の第二側の端部は、製造方法によって被拘束部２２へと形成される。被拘束部２２へと形成される第一部材５０の軸方向の第二側の端部は、第一部材５０の軸方向の第二側の面を含む。第一部材５０の軸方向の第二側の面は、製造方法によって第一接触面２０へと形成される。実施形態では、第一接触面２０へと形成される第一部材５０の軸方向の第二側の面を、第一面５１という。軸方向において第一面５１とは反対側となる第一部材５０の第一側の面を、第三面５２という。被拘束部２２へと形成される第一部材５０の軸方向の第二側の端部を、張出部５３という。張出部５３において、径方向に張り出した張出部５３の部分を、被拘束部２２の領域Ｒ（図１参照）に準じて、張出部５３の領域Ｒという（図４参照）。
【００３２】
実施形態では、張出部５３を、被拘束部２２と同じ、軸方向の第一側から第二側に広がった円錐台状としている。このような張出部５３（被拘束部２２）の形状は、例示である。例えば、張出部では、外周側面を、軸方向の第二側の部分程、径方向の寸法が大きくなる段付き形状としてもよい。この場合、被拘束部でも、外周側面は、同じ段付き形状とされる。
【００３３】
第一部材５０には、第一部材５０の軸方向の第一側の端部に、有底筒状の穴部５４が形成される。第一部材５０の軸方向の第一側の端部は、第三面５２を含む第一部材５０の軸方向の第一側の部分である。穴部５４は、製造方法によって第一端子部２の穴部２３へと形成される。即ち、穴部５４は、径方向のサイズが寸法Ｗ１の穴部であって、穴部２３を形成する径方向のサイズが寸法Ｗ１の部分に対応する。
【００３４】
第二部材６０は、軸方向の第一側の端部が径方向に張り出した形状を有する（図４参照）。第二部材６０の軸方向の第一側の端部には、有底筒状をした筒部６１が形成される。筒部６１は、製造方法によって拘束部３２へと形成される。筒部６１の底面となる第二部材６０の面は、そのままの状態で第二接触面３０とされる。実施形態では、第二接触面３０とされる第二部材６０の面（筒部６１の底面）を、第二面６２という。第二面６２には、製造方法の実施に先立ち、凹部３１Ａ，３１Ｂ，３１Ｃ，３１Ｄが形成される。第二部材６０を形成する加工方法としては、鍛造が例示される。第二部材６０が鍛造によって形成される場合、鍛造用の金型には、凹部３１Ａ，３１Ｂ，３１Ｃ，３１Ｄに対応する成形部が設けられる。凹部３１Ａ，３１Ｂ，３１Ｃ，３１Ｄは、前述の成形部によって銅又は銅合金を塑性変形させて形成される。実施形態では、第二部材６０を形成する鍛造用の金型の図示は、省略されている。第一部材５０も、第二部材６０と同様、例えば、鍛造によって形成される。
【００３５】
製造方法では、第一部材５０と第二部材６０が、所定の加工装置に取り付けられた１組の金型を用いて塑性変形される。即ち、製造方法では、第一部材５０と第二部材６０が鍛造される。製造方法における第一部材５０と第二部材６０の塑性変形は、第一部材５０と第二部材６０を軸方向に押圧して行われる。実施形態では、加工装置において、軸方向の第一側に取り付けられる金型を、上金型７０といい、軸方向の第二側に取り付けられる金型を、下金型８０という。加工装置は、上金型７０を軸方向に移動させる構成を備えることとする。このような加工装置では、第一部材５０と第二部材６０に対する軸方向への押圧は、上金型７０を、軸方向の第二側に移動させることで行われる。この場合、押圧方向は、軸方向の第二側に向かう方向となる。
【００３６】
製造方法は、収容工程と、かしめ工程と、充填工程を含む。収容工程は、張出部５３を筒部６１に収容する工程である。第一面５１と第二面６２は、張出部５３が筒部６１に収容された状態で接する。即ち、収容工程では、第一部材５０と第二部材６０が、張出部５３が筒部６１に収容された状態で、下金型８０にセットされる（図５上段参照）。図５上段では、上金型７０の図示は、省略されている。収容工程の終了後、製造方法は、かしめ工程と充填工程に移行する。かしめ工程と充填工程では、第一部材５０と第二部材６０が塑性変形される。
【００３７】
かしめ工程は、筒部６１の側壁部６３を、収容工程で筒部６１に収容された張出部５３の側に塑性変形させる工程である。充填工程は、第一面５１と第二面６２を接させた状態で、第一面５１に凸部２１Ａ，２１Ｂ，２１Ｃ，２１Ｄを形成する工程である。充填工程では、第一部材５０の所定の各部が、第二面６２に形成された凹部３１Ａ，３１Ｂ，３１Ｃ，３１Ｄに充填される。
【００３８】
収容工程の終了後、加工装置は、駆動を開始する。加工装置の駆動に伴い、上金型７０は、軸方向の第二側に移動され、第一部材５０に接近する。上金型７０は、第一成形部７１で穴部５４の底面のうちの所定の領域に接する（図５下段参照）。第一成形部７１は、上金型７０において、径方向の位置が軸心Ｌに一致する位置で軸方向の第二側に突出した状態で設けられる。加工装置では、上金型７０の軸方向の第二側への移動が継続され、第一成形部７１は、穴部５４の底部の一部を、軸方向の第二側に押圧する。穴部５４の底部は、穴部５４の底面を含む第一部材５０の部分である。これに伴い、第一成形部７１と接する穴部５４の底部の一部は、軸方向の第二側に塑性変形する。第一部材５０では、第一面５１の側で、塑性変形する穴部５４の底部の一部が軸方向の第二側に隆起し、この部分が凹部３１Ａに充填される（図６上段参照）。
【００３９】
上金型７０は、軸方向の第二側への移動に伴い、第一成形部７１が穴部５４の底面に接し、穴部５４の底部の一部を軸方向の第二側に押圧した状態のまま、第二成形部７２で、張出部５３と側壁部６３の軸方向の第一側の各面に接する（図６上段参照）。第二成形部７２は、上金型７０において、第一成形部７１の外周に設けられる（図４参照）。第二成形部７２は、円環状とされる。第二成形部７２は、領域Ｓ１で、張出部５３の領域Ｒを、全周に亘って軸方向の第二側に押圧する。これに伴い、張出部５３の領域Ｒは、軸方向の第二側に塑性変形する。第一部材５０では、第一面５１の側で、塑性変形する張出部５３の領域Ｒのうち、凹部３１Ｂに対向する部分が軸方向の第二側に隆起し、この部分が凹部３１Ｂに充填される（図６下段参照）。第一部材５０では、第一面５１の側で、塑性変形する張出部５３の領域Ｒのうち、凹部３１Ｃに対向する部分が軸方向の第二側に隆起し、この部分が凹部３１Ｃに充填される（図６下段参照）。第一部材５０では、第一面５１の側で、塑性変形する張出部５３の領域Ｒのうち、凹部３１Ｄに対向する部分が軸方向の第二側に隆起し、この部分が凹部３１Ｄに充填される（図６下段参照）。
【００４０】
第二成形部７２は、領域Ｓ２で、側壁部６３を、全周に亘って軸方向の第二側に押圧する。これに伴い、側壁部６３は、軸方向の第二側と径方向の中心側に塑性変形する。径方向の中心側は、軸心Ｌの側で、且つ張出部５３の側である。張出部５３は、塑性変形する側壁部６３によって拘束され、第一部材５０と第二部材６０は、締結される（図６下段参照）。第一成形部７１によって連続して軸方向の第二側に押圧される穴部５４の底部の一部は、継続して軸方向の第二側に塑性変形する。第一部材５０では、第一面５１の側で、塑性変形する穴部５４の底部の一部が、継続して軸方向の第二側に隆起し、この部分が凹部３１Ａに充填される（図６下段参照）。
【００４１】
加工装置は、上金型７０が図６下段に示す所定の位置に到達したタイミングで、停止される。続けて、加工装置では、上金型７０が軸方向の第一側に移動され、完成した端子１が、下金型８０から取り出される（図７参照）。これに伴い、製造方法は、終了する。実施形態に例示する端子１では、凸部２１Ａは、凹部３１Ａの全体に充填され、凸部２１Ｂは、凹部３１Ｂの全体に充填され、凸部２１Ｃは、凹部３１Ｃの全体に充填され、凸部２１Ｄは、凹部３１Ｄの全体に充填されている（図１及び図７参照）。但し、端子１では、凸部２１は、凹部３１の一部に充填された状態としてもよい。凹部３１に充填される凸部２１の量は、諸条件を考慮して適宜決定される。例えば、端子１の電気抵抗が考慮される。
【００４２】
＜実施例＞
今回、凸部及び凹部が端子の電気抵抗に与える影響を検討するために実験を行った。そこで、これについて説明する。この説明では、凸部２１Ａに相当する円柱状の凸部を、円柱状凸部といい、凸部２１Ｂ，２１Ｃ，２１Ｄに相当する円環状の凸部を、円環状凸部という。凹部３１Ａに相当する円筒状の凹部を、円筒状凹部といい、凹部３１Ｂ，３１Ｃ，３１Ｄに相当する円環状の凹部を、円環状凹部という。
１．実験方法
（１）実験サンプル
実験は、凸部及び凹部を備えない試料Ａと凸部及び凹部を備える試料Ｂ〜Ｄの各端子を対象として行った。試料Ａ〜Ｄでは、第一端子部は、同じアルミニウム製とし、第二端子部は、同じ銅製とした。試料Ａは、締結状態において接することとなる第一端子部の第一接触面と第二端子部の第二接触面の各接触面を平面とした端子である。試料Ｄは、図１及び図７に示す上述した端子１に相当する端子である。
＜サンプル構成＞
試料Ａ  円柱状凸部及び円筒状凹部：なし    円環状凸部及び円環状凹部：なし
試料Ｂ  円柱状凸部及び円筒状凹部：あり    円環状凸部及び円環状凹部：なし
試料Ｃ  円柱状凸部及び円筒状凹部：あり    円環状凸部及び円環状凹部：１組（各１個）
試料Ｄ  円柱状凸部及び円筒状凹部：あり    円環状凸部及び円環状凹部：３組（各３個）
（２）測定条件
試料Ａ〜Ｄを対象とした電気抵抗の測定は、第一端子部を正極側に接続し、第二端子部を負極側に接続して行った。試料Ｂ〜Ｄについては、試料Ｂ〜Ｄを常温以上の所定温度で所定時間加熱し、その後、試料Ｂ〜Ｄが常温に戻った状態で電気抵抗を測定した。試料Ａについては、前述した加熱前の状態で、好ましい電気抵抗を得ることができなかった。そのため、加熱後の電気抵抗の測定は、省略した。
２．実験結果
加熱前の電気抵抗に関し、試料Ａの電気抵抗の平均値（サンプル数：１０）を基準とした場合、試料Ｂの電気抵抗の平均値（サンプル数：２）は、試料Ａの４１％であった。試料Ｃの電気抵抗の平均値（サンプル数：２）は、試料Ａの４０％であった。試料Ｄの平均値（サンプル数：３）は、試料Ａの３１％であった。
【００４３】
加熱後の電気抵抗に関し、試料Ｂの電気抵抗の平均値（サンプル数：２）は、加熱前の２６３％であった。試料Ｃの電気抵抗の平均値（サンプル数：２）は、加熱前の１７１％であった。試料Ｄの電気抵抗の平均値（サンプル数：３）は、加熱前の１０８％であった。
３．考察
（１）試料Ｂ〜Ｄは、加熱前の電気抵抗が試料Ａより低くなる。このことから、第一接触面に凸部を設け、第二接触面に凹部を設け、凹部に凸部を充填させる構成により、端子の電気抵抗を低減することができる。
【００４４】
（２）試料Ｂに対して、試料Ｃ，Ｄでは、加熱後の電気抵抗が低くなる。このことから、凸部と凹部を複数設けることで、端子がヒートサイクルの環境下で使用された場合における電気抵抗の低下を、抑制することができる。特に、試料Ｄの実験結果に基づけば、円柱状凸部及び円筒状凹部と、複数の円環状凸部及び円環状凹部を備える構成は、加熱後の電気抵抗を、加熱前の電気抵抗と同等程度に維持するのに有用であると考えられる。
【００４５】
＜実施形態の効果＞
実施形態によれば、次のような効果を得ることができる。
【００４６】
（１）製造方法では、充填工程において、上金型７０の第一成形部７１で、穴部５４の底部の一部が、軸方向の第二側に押圧される。第一成形部７１と接する穴部５４の底部の一部は、軸方向の第二側に塑性変形する。第一部材５０では、第一面５１の側で、塑性変形する穴部５４の底部の一部が軸方向の第二側に隆起し、この部分が凹部３１Ａに充填される（図６参照）。上金型７０の第二成形部７２の領域Ｓ１で、張出部５３の領域Ｒが、全周に亘って軸方向の第二側に押圧される。張出部５３の領域Ｒは、軸方向の第二側に塑性変形する。第一部材５０では、第一面５１の側で、塑性変形する張出部５３の領域Ｒのうち、凹部３１Ｂ，３１Ｃ，３１Ｄにそれぞれ対向する部分が、軸方向の第二側に隆起し、これら各部分が、凹部３１Ｂ，３１Ｃ，３１Ｄにそれぞれ充填される（図６下段参照）。
【００４７】
そのため、凹部３１の壁面及び底面と接触する凸部２１の表面を、塑性変形に伴う第一部材５０の新生面とすることが可能になると考えられる。このことは、上述した実験結果において、試料Ｂ〜Ｄの加熱前の電気抵抗が、試料Ａの加熱前の電気抵抗より低くなることからも推測される。新生面は、塑性変形前の状態では、第一部材５０の内部にあった部分が、前述の塑性変形に伴い、この部材の表面に露出することによって形成される第一材質の新たな面である。凹部３１Ａに凸部２１Ａを充填させ、凹部３１Ｂに凸部２１Ｂを充填させ、凹部３１Ｃに凸部２１Ｃを充填させ、凹部３１Ｄに凸部２１Ｄを充填させることで、第一端子部２と第二端子部３の接触面積を増加させることができる。端子１を蓄電池の端子とすることで、蓄電池の性能を向上させることが可能となる。
【００４８】
（２）製造方法では、かしめ工程において、上金型７０の第二成形部７２の領域Ｓ２で、側壁部６３が、全周に亘って軸方向の第二側に押圧される。側壁部６３は、軸方向の第二側と径方向の中心側（張出部５３の側）に塑性変形する。張出部５３は、塑性変形する側壁部６３によって拘束される。即ち、端子１では、拘束部３２の側壁部３３で、被拘束部２２が拘束される（図１及び図７参照）。そのため、第一端子部２と第二端子部３の締結強度を向上させることができる。これに伴い、端子１の強度を向上させることが可能となる。
【００４９】
（３）第二部材６０は、第一部材５０より高硬度の材質とされる。第二部材６０には、予め凹部３１Ａ，３１Ｂ，３１Ｃ，３１Ｄが形成され、製造方法は、凹部３１Ａ，３１Ｂ，３１Ｃ，３１Ｄが形成された第二部材６０を対象として行われる。凸部２１Ａ，２１Ｂ，２１Ｃ，２１Ｄは、第二部材６０より低硬度の第一部材５０を、塑性変形させて形成される。そのため、第二部材６０を凸部２１Ａ，２１Ｂ，２１Ｃ，２１Ｄを形成する際の金型として利用し、第一部材５０をスムーズに塑性変形させることが可能となる。
【００５０】
例えば、第一部材に複数の凸部を予め設け、第二部材に複数の凹部を予め設けた上で、端子の製造方法に、複数の凸部を複数の凹部にそれぞれ嵌め込む工程を含めることもできる（充填工程は省略）。この場合、第一端子部と第二端子部が高精度に締結された端子とするためには、第一部材における複数の凸部と第二部材における複数の凹部の寸法精度及び位置精度を、適切に管理しなければならない。上述した実施形態の製造方法によれば、塑性変形し、凹部３１Ａ，３１Ｂ，３１Ｃ，３１Ｄに充填される第一部材５０の部分によって第一面５１（第一接触面２０）に、凸部２１Ａ，２１Ｂ，２１Ｃ，２１Ｄを形成することができる。そのため、予め第一部材に設けた凸部を第二部材の凹部に嵌め込む場合と比較し、前述した管理が容易となる。その結果、第一端子部２と第二端子部３が高精度に締結された端子１とすることができる。
【００５１】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は、適宜省略する。
【００５２】
（１）上記では、第一端子部２において、凸部２１Ａ，２１Ｂ，２１Ｃ，２１Ｄが、第一接触面２０に形成される（図１及び図２参照）。第二端子部３において、凹部３１Ａ，３１Ｂ，３１Ｃ，３１Ｄが、第二接触面３０に形成される（図１及び図３参照）。第一端子部と第二端子部では、凸部２１Ａ及び凹部３１Ａと凸部２１Ｂ及び凹部３１Ｂと凸部２１Ｃ及び凹部３１Ｃと凸部２１Ｄ及び凹部３１Ｄのうちの少なくとも１組の凸部及び凹部を、省略するようにしてもよい。この場合、凸部及び凹部の形状と配置は、第一接触面と第二接触面にそれぞれ形成される凸部及び凹部の組数に応じて、適宜決定される。凸部及び凹部の組数は、５組以上としてもよい。
【００５３】
凸部２１Ａは、円柱状とされる（図２参照）。凹部３１Ａは、円筒状とされる（図３参照）。第一接触面の中心位置（軸心の位置）に形成される凸部は、角柱状としてもよい。第一接触面の中心位置に形成される凸部を角柱状とする場合、この凸部に対向する第二接触面の位置（軸心の位置）に形成される凹部は、角筒状とされる。製造方法の充填工程では、第一接触面の中心位置に形成される凸部は、角筒状の凹部に対応した角柱状に形成される。この他、第一接触面の中心位置（軸心の位置）に形成される凸部は、軸心に垂直な断面の形状が星形となる柱状としてもよい。第一接触面の中心位置に形成される凸部を星形の柱状とする場合、この凸部に対向する第二接触面の位置（軸心の位置）に形成される凹部は、軸心に垂直な断面の形状が星形となる筒状とされる。製造方法の充填工程では、第一接触面の中心位置に形成される凸部は、星形の筒状の凹部に対応した星形の柱状に形成される。第一接触面の中心位置（軸心の位置）に形成される凸部と、この凸部に対向する第二接触面の位置（軸心の位置）に形成される凹部は、凸部と凹部の各表面積が広くなる形状にするとよい。これにより、凸部が凹部に充填された状態で、第一端子部と第二端子部の接触面積を増加させることができる。
【００５４】
凸部２１Ｂ，２１Ｃ，２１Ｄと凹部３１Ｂ，３１Ｃ，３１Ｄは、円環状とされる（図２及び図３参照）。凸部２１Ｂ，２１Ｃ，２１Ｄに相当する凸部と凹部３１Ｂ，３１Ｃ，３１Ｄに相当する凹部は、円環状とは異なる形状の環状としてもよい。例えば、これらの凸部と凹部は、多角形又は星形の環状としてもよい。凸部と凹部を環状とする場合、何れの形状の環状とするかは、諸条件を考慮して適宜決定するとよい。凸部と凹部は、螺旋状としてもよい。この場合、第一端子部では、第一接触面に螺旋状の凸部が１個形成される。第二端子部では、締結状態で、螺旋状の凸部に対向する第二接触面の位置に螺旋状の凹部が１個形成される。凸部と凹部を螺旋状とする場合、製造方法の対象となる第二部材の第二面には、予め螺旋状の凹部が形成される。製造方法によって、第一部材の部分が塑性変形されて、螺旋状の凹部に充填される。これに伴い、螺旋状の凸部が形成される。
【００５５】
第一端子部では、複数の凸部を柱状とし、複数の柱状の凸部を、第一接触面に適宜配置した状態で設けるようにしてもよい。複数の柱状の凸部は、第一接触面に規則的に配置されてもよい。例えば、複数の柱状の凸部は、格子状に配置されてもよい。複数の柱状の凸部のうちの１個の凸部を、第一接触面の中心位置（軸心の位置）に配置し、他の複数の凸部を、第一接触面の中心位置に配置された凸部を中心として、その外周に環状に配置するようにしてもよい。複数の凸部を柱状とする場合、第二端子部では、複数の筒状の凹部が、締結状態で柱状の凸部と対向する第二接触面の位置にそれぞれ形成される。複数の筒状の凹部には、締結状態において、複数の凸部がそれぞれ充填される。筒状の凹部に充填された凸部は、柱状とされる。
【００５６】
（２）上記では、製造方法の充填工程において、上金型７０の第二成形部７２の領域Ｓ１で、張出部５３の領域Ｒが、全周に亘って軸方向の第二側に押圧される。張出部５３の領域Ｒは、軸方向の第二側に塑性変形する。第一部材５０では、第一面５１の側で、塑性変形する張出部５３の領域Ｒのうち、凹部３１Ｂ，３１Ｃ，３１Ｄにそれぞれ対向する部分が、軸方向の第二側に隆起し、これら各部分が、凹部３１Ｂ，３１Ｃ，３１Ｄにそれぞれ充填される（図６下段参照）。第一部材５０では、第一面５１と張出部５３の領域Ｒの軸方向の第一側の面が、平面とされる。従って、張出部５３（被拘束部２２）の領域Ｒでは、製造方法が進行するに従い、その厚みが減少する（厚みＴ２（図７参照）＜厚みＴ１（図４参照））。
【００５７】
第一部材５０は、例えば、図８に示すような形状としてもよい。図８に基づく説明では、図４に示す第一部材５０との対応を明らかにするため、同一の構成又は対応する構成には、上記で用いた符号を用いる。図８に示す第二部材６０は、図４に示す第二部材６０と同一である。図８に示す第一部材５０では、第一面５１のうち、張出部５３の領域Ｒに対応する所定の領域に、隆起部５５が形成されている。隆起部５５は、円環状の凸部２１Ｂ，２１Ｃ，２１Ｄに対応させて円環状とされる。隆起部５５は、凸部２１Ｂ，２１Ｃ，２１Ｄの全体又は一部を形成する素材となる。製造方法の充填工程において、上金型７０の第二成形部７２の領域Ｓ１で、張出部５３の領域Ｒが、全周に亘って軸方向の第二側に押圧された場合、隆起部５５は、塑性変形し、凹部３１Ｂ，３１Ｃ，３１Ｄに充填される。隆起部５５を設けることで、凹部３１Ｂ，３１Ｃ，３１Ｄへの充填をスムーズに行うことができる。
【００５８】
図８に示す第一部材５０では、第一面５１に、１個の隆起部５５が設けられている。張出部５３を筒部６１に収容させた状態で、凹部３１Ｂ，３１Ｃ，３１Ｄは、この１個の隆起部５５によって覆われる。例えば、複数の円環状の凹部３１Ｂ，３１Ｃ，３１Ｄのそれぞれに対応させた状態で、３個の円環状の隆起部を設けるようにしてもよい。この他、張出部５３の軸方向の第一側の面に隆起部５５に対応する隆起部を１個又は複数設けるようにしてもよい。このような第一部材によっても、上金型７０の第二成形部７２の領域Ｓ１で、張出部５３の領域Ｒが、全周に亘って軸方向の第二側に押圧された場合、軸方向の第一側の面に形成された隆起部を塑性変形させ、張出部５３の領域Ｒのうち、凹部３１Ｂ，３１Ｃ，３１Ｄにそれぞれ対向する部分を、スムーズに凹部３１Ｂ，３１Ｃ，３１Ｄに充填することができる。
【００５９】
（３）上記では、第一端子部２の軸方向の第一側の端部に形成された穴部２３は、段付きの穴部とされる（図１及び図７参照）。第一端子部の軸方向の第一側の端部に形成される穴部は、ストレートな穴部としてもよい。この穴部を、ストレートな穴部とする場合、第一端子部を形成する第一部材では、穴部５４に相当する穴部は、省略される。製造方法では、上金型の第一成形部は、第一部材の第三面のうちの所定の領域に接する。第一成形部は、ストレートな円柱状とされる。第一成形部は、第一部材を、軸方向の第二側に押圧する。これに伴い、第一成形部と接する第一部材の部分は、軸方向の第二側に塑性変形する。第一部材では、第一面の側で、塑性変形する第一部材の部分が軸方向の第二側に隆起し、この部分が、上記同様、凹部３１Ａに充填され、凸部２１Ａが形成される。第一端子部の軸方向の第一側の端部に形成される穴部をストレートな穴部とする場合、第一部材における穴部を、第一端子部におけるストレートな穴部と同じ寸法の穴部とするようにしてもよい。
【００６０】
上記では、説明を省略したが、第二端子部３には、第二端子部３の軸方向の第二側の端部に、有底筒状の穴部が形成されている（図１及び図７参照）。第二端子部３の軸方向の第二側の端部は、軸方向において第二接触面３０とは反対側となる面を含む第二端子部３の部分である。第二端子部は、前述した穴部を含まない形状としてもよい。この場合、第二部材でも、第二端子部の穴部となる穴部は省略される。下金型は、穴部のない第二部材に対応した形状とされる。
【００６１】
（４）上記では、第一端子部２と第二端子部３は、製造方法のかしめ工程で塑性変形された側壁部３３で被拘束部２２の外周を拘束することで、締結される（図１及び図７参照）。凹部３１Ａ，３１Ｂ，３１Ｃ，３１Ｄは、径方向の寸法が軸方向の全域において同一とされる（図４及び図７参照）。複数の凹部のうちの全部又は一部の凹部では、径方向の寸法が、軸方向の第二側より軸方向の第一側で狭くなるようにしてもよい。例えば、図４に示すように第二部材を断面した状態で、軸方向の第一側が幅狭の台形となる凹部としてもよい。このような形状の凹部に凸部を充填することで、第一端子部と第二端子部を締結することができる。この場合、拘束部３２が設けられた第二端子部３の軸方向の第一側の端部では、側壁部３３が省略され、第二端子部の軸方向の第一側の端部は、平板状とされる。筒部６１が設けられた第二部材６０の軸方向の第一側の端部でも、側壁部６３が省略され、第二部材の軸方向の第一側の端部は、平板状とされる。製造方法では、かしめ工程は、省略される。下金型は、下金型８０の第二成形部７２の領域Ｓ２が省略された構造とされる。
【符号の説明】
【００６２】
１  端子、  ２  第一端子部、  ３  第二端子部、  ２０  第一接触面
２１，２１Ａ，２１Ｂ，２１Ｃ，２１Ｄ  凸部、  ２２  被拘束部、  ２３  穴部
３０  第二接触面、  ３１，３１Ａ，３１Ｂ，３１Ｃ，３１Ｄ  凹部、  ３２  拘束部
３３  側壁部、  ５０  第一部材、  ５１  第一面、  ５２  第三面、  ５３  張出部
５４  穴部、  ５５  隆起部、  ６０  第二部材、  ６１  筒部、  ６２  第二面
６３  側壁部、  ７０  上金型、  ７１  第一成形部、  ７２  第二成形部
８０  下金型、  Ｌ  軸心、  Ｒ，Ｓ１，Ｓ２  領域、  Ｔ１，Ｔ２  厚み
Ｗ１，Ｗ２  寸法
【図１】
2017103127.tif 000003
【図２】
2017103127.tif 000004
【図３】
2017103127.tif 000005
【図４】
2017103127.tif 000006
【図５】
2017103127.tif 000007
【図６】
2017103127.tif 000008
【図７】
2017103127.tif 000009
【図８】
2017103127.tif 000010